(57)【特許請求の範囲】
【請求項１】
放射線を検出して蛍光を発するシンチレータと、前記シンチレータの背後に設けられ前記蛍光を増幅する光電子増倍管と、前記シンチレータおよび前記光電子増倍管を収容するケースと、前記ケースの側面に設けられた内外連通孔と、前記内外連通孔を塞ぐ金属板とを備え、
前記内外連通孔の周囲に微細な凹凸を形成し、前記ケースの内部と外部は前記微細な凹凸の間の隙間により連通することを特徴とするダスト放射線検出器。
【請求項２】
前記シンチレータと前記光電子増倍管の間に導光材が充填されていることを特徴とする請求項１記載のダスト放射線検出器。
【請求項３】
前記シンチレータに遮光材が直接貼着または蒸着されていることを特徴とする請求項１又は２記載のダスト放射線検出器。
【発明の詳細な説明】
【０００１】
【発明の属する技術分野】
本発明は、原子力施設等において空気中のダストを捕集し、空気中の粒子状放射性物質の濃度を測定するダスト放射線検出器に関する。
【０００２】
【従来の技術】
ダスト放射線検出器は、空気中の粒子状放射性物質の濃度を測定する装置に取付けられ、集塵ユニット内の検出器収納ケースに設置される。サンプリングポンプを使用し、空気中のダストをろ紙へ吸着させてろ紙に集塵した放射性ダストを検出している。ろ紙へ吸着させるため、ろ紙は検出器収納ケースと集塵ブロックの間に取付けられる。
【０００３】
外部から入射した放射線は、シンチレータで光に変換され、光電子増倍管で電気信号に変換される。シンチレータ表面には遮光の目的で、表面にアルミ蒸着されたポリエステルシートなどが取付けられている（特許文献１参照）。
【０００４】
ダスト放射線検出器は、ガンマ線感度を低くして、α線感度とβ線感度を高くするため、シンチレータの厚みを薄くする必要があり、補強の目的で使用する透明なアクリル板を取付けることができない。また、光電子増倍管を外部光から遮光するためと検出器内部への放射性粉塵の侵入を防止するため、検出器ケースは、一般的に密閉構造となっている。
【０００５】
【特許文献１】
特開昭６２−１３３３７８号公報
【０００６】
【発明が解決しようとする課題】
ダスト放射線検出器は、空気中のダストをろ紙に吸着させるため、ろ紙側と同様に負圧環境におかれる。これに対し、検出器は前述のとおり密閉構造であるため、内部は常圧である。
【０００７】
ダスト放射線検出器はガンマ線感度を低くし、α線およびβ線の感度を高くするためシンチレータの厚みをできる限り薄くしている。そのため従来のダスト放射線検出器においては、内外圧力差によりシンチレータが変形し、光電子増倍管との接合部の効率が変化し、安定した測定値が得られなかった。
そこで本発明は、内外圧力差がかからず、シンチレータが変形せず、安定した測定値の得られるダスト放射線検出器を提供することを目的とする。
【０００８】
【課題を解決するための手段】
請求項１の発明は、放射線を検出して蛍光を発するシンチレータと、前記シンチレータの背後に設けられ前記蛍光を増幅する光電子増倍管と、前記シンチレータおよび前記光電子増倍管を収容するケースと、前記ケースの側面に設けられた内外連通孔と、前記内外連通孔を塞ぐ金属板とを備え、前記内外連通孔の周囲に微細な凹凸を形成し、前記ケースの内部と外部は前記微細な凹凸の間の隙間により連通することを特徴とする。
【００１３】
請求項２の発明は、前記シンチレータと前記光電子増倍管の間に導光材が充填されていることを特徴とする。
請求項３の発明は、前記シンチレータに遮光材が直接貼着または蒸着されていることを特徴とする。
【００１４】
【発明の実施の形態】
本発明の第１の実施の形態を図１を参照して説明する。本実施の形態のダスト放射線検出器１０は、放射線を検知して蛍光を発するプラスチックシンチレータ１と、その蛍光を増幅する光電子増倍管２と、プラスチックシンチレータ１および光電子増倍管２を収容するケース３と、プラスチックシンチレータ１の前に設けられ外部からの光を遮光するアルミポリエステルシート４とを具備し、ケース３に遮光手段を施した内外連通孔５を設けて、被測定ガスを吸引する空間に設置される。アルミポリエステルシート４はポリエステルシートにアルミニウムを蒸着または貼着したシートである。
【００１５】
上記のような構成としたダスト放射線検出器１０においては、内外連通孔５によってケース３の内部と外部が連通して内外圧力差をなくすことができ、プラスチックシンチレータ１の変形を防ぐことができる。
【００１６】
なお、内外連通孔５の内側に通気性のある両面粘着シート６を介してアクリル板７を貼り付けることにより内外圧力差をなくし、アクリル板７の反対側にはアルミポリエステルシート８を貼り付けて外部との遮光をするようにしてもよい。また、両面粘着シート６、アクリル板７およびアルミポリエステルシート８を内外連通孔５の外側に取り付けた構成としてもよい。また、内外連通孔５にスポンジ状のつめものをいれた構成としてもよい。
【００１７】
本実施の形態においては、プラスチックシンチレータ１と光電子増倍管２を収容するケース３に遮光手段を施した内外連通孔５を設けることにより、ケース３の内外圧力を等しくできるため、プラスチックシンチレータ１を薄くすることが可能であり、バックグラウンドのガンマ線の影響を低く抑えα線とβ線を安定して測定することのできるダスト放射線検出器１０が実現できる。
【００１８】
つぎに本発明の第２の実施の形態を説明する。なお、以下第２から第５の実施の形態の説明においては上述した第１の実施の形態と相違部分のみを示し、同一の構成部分は省略して説明する。本実施の形態のダスト放射線検出器は、その要部を図２に示すように、ケース３の側面に設けた内外連通孔５の内側に紙１１と金属板１２を重ね合わせて貼り付けた構成である。
【００１９】
この実施の形態においては、ケース３の内部と外部は紙１１の繊維の間の隙間を通して連通し、ケース３の内外圧力差をなくすことができる。また、外部の光は金属板１２によって遮断される。なお、紙１１と金属板１２を内外連通孔５の外側に取り付けた構成としてもよい。また、紙１１は黒色であれば更によい。
【００２０】
つぎに本発明の第３の実施の形態を説明する。本実施の形態のダスト放射線検出器は、その要部を図３に示すように、ケース３の側面に設けた内外連通孔５の内側の周囲に微細な凹凸１３を形成し、この凹凸１３の上に内外連通孔５を塞ぐ金属板１２を設けた構成である。
【００２１】
この実施の形態においては、ケース３の内部と外部は微細な凹凸１３の間の隙間によって連通し、外部の光は金属板１２によって遮断される。なお、微細な凹凸１３と金属板１２は、内外連通孔５の外側に設けてもよい。
【００２２】
つぎに本発明の第４の実施の形態を説明する。本実施の形態のダスト放射線検出器は、その要部を図４に示すように、ケース３の側面に設けた内外連通孔５の内側に２枚の金属板１５ａ，１５ｂをネジ１６によって取り付け、金属板１５ａ，１５ｂによってラビリンス状の孔１７を形成して連通させた構成にしている。
【００２３】
この実施の形態においては、ケースの内部と外部は金属板１５ａ，１５ｂによって形成されたラビリンス状の孔１７によって連通する。また、外部の光は、金属板１５ａ，１５ｂの孔１７がラビリンス状に接続されているために遮断される。なお、金属板１５ａ，１５ｂは、内外連通孔５の外側に取り付けた構成としてもよい。また、金属板１５ａ，１５ｂによって形成されたラビリンス状の孔１７の内面に黒色の塗料を塗布すれば、遮光性を更に向上させることができる。
【００２４】
つぎに本発明の第５の実施の形態を説明する。本実施の形態のダスト放射線検出器は、その要部を図５に示すように、ケース３の側面に設ける内外連通孔を部分壁１９ａ，１９ｂに囲まれたラビリンス状の孔２０によって形成した構成である。
【００２５】
この実施の形態においては、ケース３の内部と外部はラビリンス状の孔２０によって連通するとともに、外部の光がケース３内に入ることは阻止される。なお、ラビリンス状の孔２０の内面を黒色に仕上げることによって遮光性を更に高めることができる。
【００２６】
なお、上記各実施の形態において、プラスチックシンチレータ１にアルミ箔等の遮光材を直接貼着または蒸着した構成としてもよい。また、プラスチックシンチレータ１と光電子増倍管２の間に導光材を充填した構成とすれば、プラスチックシンチレータ１の変形を更に防ぐことができる。
【００２７】
【発明の効果】
本発明によれば、内外圧力差がかからず、シンチレータが変形せず、安定した測定値が得られるダスト放射線検出器を提供することができる。
【図面の簡単な説明】
【図１】本発明の第１の実施の形態のダスト放射線検出器の軸方向分解断面図。
【図２】本発明の第２の実施の形態のダスト放射線検出器の要部断面図。
【図３】本発明の第３の実施の形態のダスト放射線検出器の要部断面図。
【図４】本発明の第４の実施の形態のダスト放射線検出器の要部断面図。
【図５】本発明の第５の実施の形態のダスト放射線検出器の要部断面図。
【符号の説明】
１…プラスチックシンチレータ、２…光電子増倍管、３…ケース、４…アルミポリエステルシート、５…内外連通孔、６…両面粘着シート、７…アクリル板、８…アルミポリエステルシート、１０…ダスト放射線検出器、１１…紙、１２…金属板、１３…微細な凹凸、１５ａ，１５ｂ…金属板、１６…ネジ、１７…ラビリンス状の孔、１９ａ，１９ｂ…部分壁、２０…ラビリンス状の孔。
【図１】
0004434613.tif 000002
【図２】
0004434613.tif 000003
【図３】
0004434613.tif 000004
【図４】
0004434613.tif 000005
【図５】
0004434613.tif 000006